(57)【要約】      （修正有）【課題】筒状レンズ体を用いた車両用灯具において、筒状レンズ体の正面側開口端面（出光面）を均一（又は略均一）に発光させることができる車両用灯具を提供する。【解決手段】車両用灯具１０は、正面側開口端面４２ａとその反対側の背面側開口端面４２ｂとを含む筒状レンズ体４２と、基端部と、先端部と、基端部と先端部との間に設けられた湾曲部と、を含む円弧状の導光体４４と、導光体の基端部から入光し、湾曲部内を導光される光を発光する光源モジュールと、を備える。湾曲部は、円弧状の出光面４４ｄと、湾曲部内を導光される光源モジュールからの光を拡散させる拡散面４４ｅと、を含む。導光体４４は、出光面４４ｄから出光した光が背面側開口端面４２ｂから筒状レンズ体４２に入光し、正面側開口端面４２ａから出光するように、出光面と背面側開口端面とが対向した状態で筒状レンズ体の背面側に配置される。【選択図】図３
2018073582.tif 000002
【特許請求の範囲】
【請求項１】
正面側開口端面とその反対側の背面側開口端面とを含む筒状レンズ体と、
基端部と、先端部と、前記基端部と前記先端部との間に設けられた湾曲部と、を含む円弧状の導光体と、
前記導光体の前記基端部から入光し、前記湾曲部内を導光される光を発光する光源モジュールと、を備え、
前記湾曲部は、円弧状の出光面と、前記湾曲部内を導光される前記光源モジュールからの光を前記出光面から出光させるために、前記湾曲部内を導光される前記光源モジュールからの光を拡散させる拡散面と、を含み、
前記導光体は、前記出光面から出光した光が前記背面側開口端面から前記筒状レンズ体に入光し、前記正面側開口端面から出光するように、前記出光面と前記背面側開口端面とが対向した状態で前記筒状レンズ体の背面側に配置される車両用灯具。
【請求項２】
前記導光体は、前記基端部と前記先端部とが前記筒状レンズ体の軸線方向に関し異なる位置に配置されるようにキンクしており、
前記導光体の前記出光面は、前記導光体の前記キンクに対応して前記基端部側と前記先端部側とが前記筒状レンズ体の軸線方向に関し異なる位置に配置されることで湾曲しており、
前記筒状レンズ体の前記背面側開口端面は、前記導光体の前記出光面に対応してその周方向の一端部と他端部とが前記筒状レンズ体の軸線方向に関し異なる位置に配置されることで湾曲しており、
前記光源モジュールは、前記筒状レンズ体の軸線方向に関し前記導光体の前記基端部と前記先端部との間に配置される請求項１に記載の車両用灯具。
【請求項３】
前記導光体は、前記先端部に近いほど幅が狭く構成される請求項１又は２に記載の車両用灯具。
【請求項４】
前記筒状レンズ体の前記正面側開口端面と前記背面側開口端面との間には、切欠部が形成されており、
前記筒状レンズ体の前記正面側開口端面及び前記背面側開口端面は、前記切欠部を含む円弧状の面である請求項１から３のいずれか１項に記載の車両用灯具。
【請求項５】
前記筒状レンズ体の前記正面側開口端面は、切欠部を含まない環状面である請求項１から３のいずれか１項に記載の車両用灯具。
【請求項６】
前記出光面は、前記導光体の前記基端部と前記先端部との間で円弧状に延びるシリンドリカルレンズ面として構成される請求項１から５のいずれか１項に記載の車両用灯具。
【請求項７】
前記筒状レンズ体の前記背面側開口端面には、当該背面側開口端面から前記筒状レンズ体に入光する前記導光体の出光面からの光をその周方向に均一化するように配光制御パターンが設けられる請求項１から６のいずれか１項に記載の車両用灯具。
【請求項８】
前記筒状レンズ体は、円筒状レンズ体である請求項１から７のいずれか１項に記載の車両用灯具。
【発明の詳細な説明】
【技術分野】
【０００１】
本発明は、車両用灯具に関し、特に、筒状レンズ体を用いた車両用灯具に関する。
【背景技術】
【０００２】
従来、光源と、当該光源からの光を導光する円弧状の導光体と、を備え、導光体の一端部から入光し、他端部に向けて導光される光源からの光の一部が、導光体に設けられた複数の反射素子によって反射されて、導光体の正面（前面）から出光するように構成された車両用灯具が提案されている（例えば、特許文献１（図１等）参照）。
【先行技術文献】
【特許文献】
【０００３】
【特許文献１】特開２０１３−１２２８７２号公報
【発明の概要】
【発明が解決しようとする課題】
【０００４】
しかしながら、特許文献１に記載の車両用灯具においては、デザイン性等を考慮して、導光体の厚み（導光体の前面に対して直角の方向の厚み）を厚くして、当該導光体を筒状に構成した場合、導光体の前面（出光面）を均一に発光させることが難しいという課題がある。
【０００５】
本発明は、上記事情に鑑みてなされたものであり、筒状レンズ体を用いた車両用灯具において、当該筒状レンズ体の正面側開口端面（出光面）を均一（又は略均一）に発光させることができる車両用灯具を提供することを目的とする。
【課題を解決するための手段】
【０００６】
上記目的を達成するために、本発明の一つの側面は、正面側開口端面とその反対側の背面側開口端面とを含む筒状レンズ体と、基端部と、先端部と、前記基端部と前記先端部との間に設けられた湾曲部と、を含む円弧状の導光体と、前記導光体の前記基端部から入光し、前記湾曲部内を導光される光を発光する光源モジュールと、を備え、前記湾曲部は、円弧状の出光面と、前記湾曲部内を導光される前記光源モジュールからの光を前記出光面から出光させるために、前記湾曲部内を導光される前記光源モジュールからの光を拡散させる拡散面と、を含み、前記導光体は、前記出光面から出光した光が前記背面側開口端面から前記筒状レンズ体に入光し、前記正面側開口端面から出光するように、前記出光面と前記背面側開口端面とが対向した状態で前記筒状レンズ体の背面側に配置される車両用灯具であることを特徴とする。
【０００７】
この側面によれば、筒状レンズ体を用いた車両用灯具において、当該筒状レンズ体の正面側開口端面（出光面）を均一（又は略均一）に発光させることができる車両用灯具を提供することができる。
【０００８】
これは、光源モジュールからの光が導光体によって導光されて導光体（湾曲部）の円弧状の出光面から均一又は略均一に出光し、当該出光面から出光した光が筒状レンズ体の背面側開口端面から当該筒状レンズ体に入光し、正面側開口端面から出光することによるものである。
【０００９】
また、上記発明において、好ましい態様は、前記導光体は、前記基端部と前記先端部とが前記筒状レンズ体の軸線方向に関し異なる位置に配置されるようにキンクしており、前記導光体の前記出光面は、前記導光体の前記キンクに対応して前記基端部側と前記先端部側とが前記筒状レンズ体の軸線方向に関し異なる位置に配置されることで湾曲しており、前記筒状レンズ体の前記背面側開口端面は、前記導光体の前記出光面に対応してその周方向の一端部と他端部とが前記筒状レンズ体の軸線方向に関し異なる位置に配置されることで湾曲しており、前記光源モジュールは、前記筒状レンズ体の軸線方向に関し前記導光体の前記基端部と前記先端部との間に配置されることを特徴とする。
【００１０】
この態様によれば、筒状レンズ体を用いた車両用灯具において、当該筒状レンズ体の軸線方向の寸法を短くすることができる。
【００１１】
これは、導光体が、基端部と先端部とが筒状レンズ体の軸線方向に関し異なる位置に配置されるようにキンクしていること、及び光源モジュールが、筒状レンズ体の軸線方向に関し導光体の基端部と先端部との間に配置されること、によるものである。
【００１２】
また、上記発明において、好ましい態様は、前記導光体は、前記先端部に近いほど幅が狭く構成されることを特徴とする。
【００１３】
この態様によれば、導光体によって導光されて円弧状の出光面から出光する光源モジュールからの光をより均一にすることができる。
【００１４】
また、上記発明において、好ましい態様は、前記筒状レンズ体の前記正面側開口端面と前記背面側開口端面との間には、切欠部が形成されており、前記筒状レンズ体の前記正面側開口端面及び前記背面側開口端面は、前記切欠部を含む円弧状の面であることを特徴とする。
【００１５】
この態様によれば、切欠部を含む正面側開口端面によって構成される円弧状の発光領域を含む車両用灯具を構成することができる。
【００１６】
また、上記発明において、好ましい態様は、前記筒状レンズ体の前記正面側開口端面は、切欠部を含まない環状面であることを特徴とする。
【００１７】
この態様によれば、切欠部を含まない正面側開口端面によって構成される環状の発光領域を含む車両用灯具を構成することができる。
【００１８】
また、上記発明において、好ましい態様は、前記出光面は、前記導光体の前記基端部と前記先端部との間で円弧状に延びるシリンドリカルレンズ面として構成されることを特徴とする。
【００１９】
この態様によれば、導光体の出光面から出光する光が筒状レンズ体の背面側開口端面へロス無く入射するように当該出光面から出光する光を集光させることができる。
【００２０】
また、上記発明において、好ましい態様は、前記筒状レンズ体の前記背面側開口端面には、当該背面側開口端面から前記筒状レンズ体に入光する前記導光体の出光面からの光をその周方向に均一化するように配光制御パターンが設けられることを特徴とする。
【００２１】
この態様によれば、筒状レンズ体の正面側開口端面（出光面）をより均一に発光させることができる。
【００２２】
前記筒状レンズ体は、円筒状レンズ体であることを特徴とする。
【図面の簡単な説明】
【００２３】
【図１】背面側から見た車両用灯具１０の斜視図である。
【図２】（ａ）車両用灯具１０の正面図、（ｂ）車両用灯具１０の背面図である。
【図３】（ａ）図２（ｂ）のＡ−Ａ断面図、（ｂ）図２（ｂ）のＢ−Ｂ断面図である。
【図４】図３（ａ）の一部拡大図である。
【図５】背面側から見た車両用灯具１０の分解斜視図である。
【図６】車両用灯具１０の一部上面図である。
【図７】光源モジュール６０の一例である。
【図８】車両用灯具１０とハウジング５２との関係を説明するための図である。
【図９】背面側から見たスリーブレンズ４２の斜視図である。
【図１０】（ａ）車両用灯具１０（変形例）の正面図、（ｂ）車両用灯具１０（変形例）の一部上面図である。
【図１１】車両用灯具１０（変形例）の一部上面図である。
【発明を実施するための形態】
【００２４】
以下、本発明の実施形態である車両用灯具１０について添付図面を参照しながら説明する。各図において対応する構成要素には同一の符号が付され、重複する説明は省略される。
【００２５】
図１は、背面側から見た車両用灯具１０の斜視図である。
【００２６】
図１に示す車両用灯具１０は、テールランプ及びターンランプとして機能する標識用ランプ（又は信号用ランプ）であり、車両（図示せず）の後端部の左側及び右側に搭載される。
【００２７】
図２（ａ）は車両用灯具１０の正面図、図２（ｂ）は車両用灯具１０の背面図である。
【００２８】
図３（ａ）は図２（ｂ）のＡ−Ａ断面図、図３（ｂ）は図２（ｂ）のＢ−Ｂ断面図である。図４は、図３（ａ）の一部拡大図である。図５は、背面側から見た車両用灯具１０の分解斜視図である。
【００２９】
図１〜図５に示すように、本実施形態の車両用灯具１０は、筒状ブラケット２０、第１ランプユニット３０、第２ランプユニット４０等を備える。車両用灯具１０は、図３に示すように、アウターレンズ５０とハウジング５２とによって構成される灯室５４内に配置され、ハウジング５２に固定される。
【００３０】
筒状ブラケット２０は、正面側開口２０ａとその反対側の背面側開口２０ｂとを含む円筒状ブラケット（円筒状支持体）である。筒状ブラケット２０が本発明の筒状支持体に相当する。
【００３１】
筒状ブラケット２０は、正面側開口２０ａから背面側開口２０ｂに向かうに従って錐体状に狭くなるように構成される（図３参照）。
【００３２】
筒状ブラケット２０には、背面側開口２０ｂの一部を覆う壁部２２（横断取付部）が設けられる。壁部２２は、背面側開口２０ｂの略中央付近を横断する形態で設けられる。
【００３３】
壁部２２には、ハウジング固定用貫通穴２２ａ、仮組み用貫通穴２２ｂが形成される。ハウジング固定用貫通穴２２ａには、第１ランプユニット３０（ターンリフレクタ３２）の一部であるハウジング固定用ネジ受部３２ｄが挿入される。仮組み用貫通穴２２ｂには、第１ランプユニット３０（ターンリフレクタ３２）の一部である仮組み用ネジ受部３２ｅが挿入される。ハウジング固定用貫通穴２２ａが本発明の第１貫通穴に相当する。
【００３４】
筒状ブラケット２０の内周面には、当該筒状ブラケット２０にエクステンション３６を固定するために、エクステンション３６に設けられた爪部３６ｄが係合する係合部２０ｃ（例えば、凹部。図３（ｂ）参照）が設けられる。係合部２０ｃは、筒状ブラケット２０の周方向に複数設けられる。
【００３５】
筒状ブラケット２０の外周面には、当該筒状ブラケット２０の軸線ＡＸ方向に延びるリブ２４ａ、２４ｂが設けられる。また、筒状ブラケット２０の外周面には、アルミ蒸着が施される。このアルミ蒸着が施された外周面は、スリーブレンズ４２を通して視認される。
【００３６】
筒状ブラケット２０の背面側には、光源モジュール６０（及び光源モジュール保持部４６ｄ）を配置するために、切欠部Ｓ１が設けられる。
【００３７】
筒状ブラケット２０は、遮光性を有する。この遮光性を有する筒状ブラケット２０によって第１ランプユニット３０（ターンランプ用の光源）と第２ランプユニット４０（テールランプ用の光源６２）とを光学的に遮断することができる。その結果、各々のランプユニットが、ターンランプ用の光源からの光（橙色光）とテールランプ用の光源６２からの光（赤色光）が混じり合った光を照射するのを防止することができる。すなわち、各々のランプユニット本来の機能が損なわれるのを防止することができる。
【００３８】
上記構成の筒状ブラケット２０は、例えば、金型を用いて遮光性を有する合成樹脂を射出成形することにより成形される。
【００３９】
第１ランプユニット３０は、例えば、ターンランプユニットである。第１ランプユニット３０は、筒状ブラケット２０の内周面で取り囲まれた空間に配置された状態で筒状ブラケット２０に支持（固定）される（図３参照）。第１ランプユニット３０は、図２（ａ）に示すように、正面視で円形の発光領域Ａ１を備える。ターンランプレンズ３４が発光領域Ａ１を構成する。
【００４０】
図５に示すように、第１ランプユニット３０は、ターンリフレクタ３２、ターンランプレンズ３４、エクステンション３６を含む。
【００４１】
ターンリフレクタ３２は、背面側が閉塞し、正面側が開口したカップ状のリフレクタである。
【００４２】
ターンリフレクタ３２は、正面側開口３２ａから背面側３２ｂに向かうに従って錐体状に狭くなるように構成される（図３参照）。
【００４３】
ターンリフレクタ３２の内側面には、アルミ蒸着を施すことで、反射面３２ｃが形成される（図３参照）。反射面３２ｃは、ターンランプ用の光源（図示せず）からの光を、正面側開口３２ａを覆った状態で配置されたターンランプレンズ３４に向けて反射する。
【００４４】
ターンリフレクタ３２の背面側３２ｂには、ハウジング固定用ネジ受部３２ｄ（２個所）、仮組み用ネジ受部３２ｅ（１個所）が設けられる。また、ターンリフレクタ３２の背面側３２ｂには、ハウジング５２に形成された光源装着穴５２ｂ（図８参照）に装着されるターンランプ用の光源が挿入される貫通穴３２ｆが形成される。ターンランプ用の光源は、例えば、橙色光を発光する白熱電球等のバルブ光源である。
【００４５】
上記構成のターンリフレクタ３２は、筒状ブラケット２０の内周面で取り囲まれた空間に配置される（図３参照）。
【００４６】
具体的には、ターンリフレクタ３２は、当該ターンリフレクタ３２のハウジング固定用ネジ受部３２ｄ、仮組み用ネジ受部３２ｅがそれぞれ、筒状ブラケット２０のハウジング固定用貫通穴２２ａ、仮組み用貫通穴２２ｂに挿入された状態で、筒状ブラケット２０の内周面で取り囲まれた空間に配置される。
【００４７】
その際、ターンリフレクタ３２の外周面は筒状ブラケット２０の内周面と略相似形状であるため、ターンリフレクタ３２と筒状ブラケット２０との間に不要な隙間ができるのが防止される。また、ターンリフレクタ３２に設けられたリブ３２ｇが筒状ブラケット２０に当接する（図３（ａ）参照）ため、ターンリフレクタ３２と筒状ブラケット２０との間の隙間がより少なくなる。
【００４８】
上記構成のターンリフレクタ３２は、例えば、金型を用いてアクリルやポリカーボネイト等の合成樹脂を射出成形することにより成形される。
【００４９】
ターンランプレンズ３４は、外形が円形のレンズ部３４ａと、レンズ部３４ａを取り囲んだ状態で当該レンズ部３４ａを保持するレンズ枠部３４ｂと、を含む。ターンランプレンズ３４が本発明のレンズに相当する。
【００５０】
レンズ枠部３４ｂには、ターンランプレンズ３４をエクステンション３６に固定するために、エクステンション３６に設けられた爪部３６ｃが係合する係合部３４ｃ（例えば、開口部）が設けられる。係合部３４ｃは、レンズ枠部３４ｂの周方向に複数設けられる。
【００５１】
上記構成のターンランプレンズ３４は、レンズ枠部３４ｂに設けられた複数の係合部３４ｃにエクステンション３６に設けられた複数の爪部３６ｃを係合させることで、エクステンション３６に固定される。エクステンション３６は、ターンランプレンズ３４の周縁部等が視認されないように、当該ターンランプレンズ３４の周縁部等を覆う（図３参照）。
【００５２】
上記構成のターンランプレンズ３４は、例えば、金型を用いてアクリルやポリカーボネイト等の透明樹脂を射出成形することにより成形される。なお、ターンランプレンズ３４は省略してもよい。
【００５３】
エクステンション３６は、正面側開口３６ａとその反対側の背面側開口３６ｂとを含む円筒状に構成される。
【００５４】
エクステンション３６には、ターンランプレンズ３４に設けられた係合部３４ｃに係合する爪部３６ｃが設けられる。爪部３６ｃは、エクステンション３６の周方向に複数設けられる。
【００５５】
また、エクステンション３６には、当該エクステンション３６を筒状ブラケット２０に固定するために、筒状ブラケット２０の内周面に設けられた係合部２０ｃ（例えば、凹部。図３（ｂ）参照）に係合する爪部３６ｄが設けられる。爪部３６ｄは、エクステンション３６の周方向に複数設けられる。
【００５６】
上記構成のエクステンション３６（及びこれに固定されたターンランプレンズ３４）は、筒状ブラケット２０の内周面で取り囲まれた空間に配置される（図３参照）。
【００５７】
具体的には、エクステンション３６（及びこれに固定されたターンランプレンズ３４）は、当該エクステンション３６に設けられた複数の爪部３６ｄを筒状ブラケット２０の内周面に設けられた複数の係合部２０ｃに係合させることで、筒状ブラケット２０の内周面で取り囲まれた空間に配置される。これにより、ターンランプレンズ３４は、ターンリフレクタ３２の正面側開口３２ａを覆った状態で配置される。
【００５８】
上記構成のエクステンション３６は、例えば、金型を用いてアクリルやポリカーボネイト等の合成樹脂を射出成形することにより成形される。
【００５９】
上記構成の第１ランプユニット３０においては、ターンランプ用の光源からの光は、ターンリフレクタ３２（反射面３２ｃ）で反射され、ターンランプレンズ３４を透過して正面側に照射される。
【００６０】
第２ランプユニット４０は、例えば、テールランプユニットである。第２ランプユニット４０は、筒状ブラケット２０の外周面に沿って配置された状態で筒状ブラケット２０に支持（固定）される（図３参照）。第２ランプユニット４０は、図２（ａ）に示すように、正面視で円弧状の発光領域Ａ２を備える。スリーブレンズ４２の正面側開口端面４２ａが発光領域Ａ２を構成する。
【００６１】
図５に示すように、第２ランプユニット４０は、スリーブレンズ４２、導光体４４、サブブラケット４６を含む。
【００６２】
スリーブレンズ４２は、正面側開口端面４２ａとその反対側の背面側開口端面４２ｂとを含み、背面側開口端面４２ｂから入光した導光体４４（出光面４４ｄ）からの光が正面側開口端面４２ａから出光する円筒状レンズ体である。背面側開口端面４２ｂが本発明の入光面に相当し、正面側開口端面４２ａが本発明の出光面に相当し、スリーブレンズ４２が本発明の筒状レンズ体に相当する。なお、スリーブレンズ４２の正面側開口端面４２ａの直径Ｒ（図２（ａ）参照）は、例えば、φ１３０ｍｍ程度である。
【００６３】
スリーブレンズ４２は、正面側開口端面４２ａから背面側開口端面４２ｂに向かうに従って錐体状に狭くなるように構成される（図３参照）。
【００６４】
但し、スリーブレンズ４２は、完全な円筒ではなく、正面側開口端面４２ａと背面側開口端面４２ｂとの間、かつ、筒状ブラケット２０の切欠部Ｓ１に対応する位置に形成された切欠部Ｓ２を含む。その結果、正面側開口端面４２ａ及び背面側開口端面４２ｂは、切欠部Ｓ２を含む円弧状（中心角約２７０度）の面となる。
【００６５】
背面側開口端面４２ｂは、導光体４４の出光面４４ｄに対応してその周方向の一端部４２ｂ１と他端部４２ｂ２とが筒状ブラケット２０（スリーブレンズ４２）の軸線ＡＸ方向に関し異なる位置に配置されることで湾曲した湾曲面（導光体４４の出光面４４ｄと同様のキンク面）である。具体的には、背面側開口端面４２ｂの一端部４２ｂ１は背面側に配置され、他端部４２ｂ２は正面側に配置される。
【００６６】
背面側開口端面４２ｂには、当該背面側開口端面４２ｂからスリーブレンズ４２に入光する導光体４４（出光面４４ｄ）からの光をその周方向（円弧方向）に均一化するように配光制御パターンが設けられる。
【００６７】
具体的には、背面側開口端面４２ｂには、入光拡散素子として所定の間隔で断面がＶ字状の溝が軸線ＡＸに対して放射状に設けられており（図９参照）、当該背面側開口端面４２ｂへ入光する光をスリーブレンズ４２内において周方向に拡散する。前記Ｖ字状の溝は、断面が台形状や円弧状であってもよい。また、正面側開口端面４２ａには、光取出素子として四角錐パターンが設けられている。光取出し素子としては、六角錐、三角錐等の錐状パターンや球面又はシボ等の凹凸パターンであってもよい。 
【００６８】
図９は、背面側から見たスリーブレンズ４２の斜視図である。
【００６９】
図９に示すように、スリーブレンズ４２の厚みＳＷは、筒状ブラケット２０（スリーブレンズ４２）の軸線ＡＸ方向に関し、スリーブレンズ４２（背面側開口端面４２ｂ）のキンク幅ＳＷＫより厚く構成される（ＳＷＫ＜ＳＷ）。
【００７０】
図５に示すように、スリーブレンズ４２には、背面側開口端面４２ｂの一部を覆う壁部４２ｃが設けられる。
【００７１】
壁部４２ｃには、ハウジング固定用貫通穴４２ｃ１、仮組み用貫通穴４２ｃ２が形成される。ハウジング固定用貫通穴４２ｃ１には、第１ランプユニット３０（ターンリフレクタ３２）の一部であるハウジング固定用ネジ受部３２ｄが挿入（例えば、嵌合）される。仮組み用貫通穴４２ｃ２には、第１ランプユニット３０（ターンリフレクタ３２）の一部である仮組み用ネジ受部３２ｅが挿入（例えば、嵌合）される。ハウジング固定用貫通穴４２ｃ１が本発明の第２貫通穴に相当する。
【００７２】
また、スリーブレンズ４２には、導光体４４の湾曲部４４ｃに形成された貫通穴４４ｆ（２個所）、及び、サブブラケット４６に形成された貫通穴４６ｈ（２個所）に挿入される位置決めピン４２ｅ（２個所）が設けられる。
【００７３】
上記構成のスリーブレンズ４２は、筒状ブラケット２０の外周面に沿って配置される。
【００７４】
具体的には、スリーブレンズ４２は、ターンリフレクタ３２のハウジング固定用ネジ受部３２ｄ、仮組み用ネジ受部３２ｅがそれぞれ、当該スリーブレンズ４２のハウジング固定用貫通穴４２ｃ１、仮組み用貫通穴４２ｃ２に挿入（例えば、嵌合）され、かつ、スリーブレンズ４２の内周面と筒状ブラケット２０の外周面とが対向した状態で配置される。
【００７５】
その際、スリーブレンズ４２の内周面は、筒状ブラケット２０の外周面と略相似形状であるため、スリーブレンズ４２と筒状ブラケット２０との間に不要な隙間ができるのが防止される。また、スリーブレンズ４２に設けられたリブ４２ｆが筒状ブラケット２０に当接する（図３（ａ）参照）ため、スリーブレンズ４２と筒状ブラケット２０との間の隙間がより少なくなる。
【００７６】
上記構成のスリーブレンズ４２においては、導光体４４（出光面４４ｄ）からの光は、背面側開口端面４２ｂから入光し、正面側開口端面４２ａの全域（又は略全域）から均一（又は略均一）に出光して正面側に照射される。
【００７７】
上記構成のスリーブレンズ４２は、例えば、金型を用いてアクリルやポリカーボネイト等の透明樹脂を射出成形することにより成形される。
【００７８】
導光体４４は、基端部４４ａと、先端部４４ｂと、基端部４４ａと先端部４４ｂとの間に設けられた湾曲部４４ｃと、を含む円弧状の導光体（中心角約２７０度）である。
【００７９】
導光体４４（湾曲部４４ｃ）は、基端部４４ａと先端部４４ｂとが筒状ブラケット２０（スリーブレンズ４２）の軸線ＡＸ方向に関し異なる位置に配置されるようにキンクしている（図６参照）。具体的には、基端部４４ａは背面側に配置され、先端部４４ｂは正面側に配置される。
【００８０】
導光体４４の湾曲部４４ｃの正面側には、湾曲部４４ｃ内を導光される光源モジュール６０からの光が出光する出光面４４ｄが設けられる。出光面４４ｄは、当該出光面４４ｄから出光する光がスリーブレンズ４２の背面側開口端面４２ｂへロス無く入射するように当該出光面４４ｄから出光する光を絞り込むために（集光させるために）、導光体４４の基端部４４ａと先端部４４ｂとの間で円弧状（中心角約２７０度）に延びるシリンドリカルレンズ面として構成される（図３（ａ）参照）。
【００８１】
導光体４４の湾曲部４４ｃの背面側には、湾曲部４４ｃ内を導光される光源モジュール６０からの光を出光面４４ｄの全域（又は略全域）から均一（又は略均一）に出光させるために、当該湾曲部４４ｃ内を導光される光源モジュール６０からの光を拡散させる拡散面４４ｅが設けられる。
【００８２】
導光体４４は、基端部４４ａと先端部４４ｂとの間、かつ、筒状ブラケット２０の切欠部Ｓ１（及びスリーブレンズ４２の切欠部Ｓ２）に対応する位置に形成された切欠部Ｓ３を含む。その結果、出光面４４ｄ及び拡散面４４ｅは、切欠部Ｓ３を含む円弧状の面となる。
【００８３】
出光面４４ｄ及び拡散面４４ｅは、スリーブレンズ４２の背面側開口端面４２ｂと同様、導光体４４のキンクに対応してその基端部４４ａ側と先端部４４ｂ側とが筒状ブラケット２０（スリーブレンズ４２）の軸線ＡＸ方向に関し異なる位置に配置されることで湾曲した湾曲面（キンク面）である。
【００８４】
導光体４４の湾曲部４４ｃには、スリーブレンズ４２に設けられた位置決めピン４２ｅが挿入される貫通穴４４ｆが形成される。
【００８５】
導光体４４は、先端部４４ｂに近いほど幅（導光体４４の外周面４４ｇと内周面４４ｈとの間隔）が狭く構成される。
【００８６】
上記構成の導光体４４は、筒状ブラケット２０の外周面に沿って配置される。
【００８７】
具体的には、導光体４４は、当該導光体４４に形成された貫通穴４４ｆにスリーブレンズ４２の位置決めピン４２ｅが挿入され、かつ、導光体４４の出光面４４ｄとスリーブレンズ４２の背面側開口端面４２ｂとが対向（又は密着）した状態で、筒状ブラケット２０の外周面に沿って配置される。
【００８８】
このように、導光体４４は、出光面４４ｄから出光した光が背面側開口端面４２ｂからスリーブレンズ４２に入光し、正面側開口端面４２ａから出光するように、出光面４４ｄと背面側開口端面４２ｂとが対向した状態でスリーブレンズ４２の背面側に配置される。
【００８９】
上記構成の導光体４４においては、導光体４４が円弧状であるため、導光体４４の基端部４４ａ（入光面）から入光した光源モジュール６０（テールランプ用の光源６２）からの光は、導光体４４の外周面４４ｇ、内周面４４ｈ、出光面４４ｄ、及び、拡散面４４ｅで内面反射されて導光体４４の先端部４４ｂまで導光される。その際、導光体４４が円弧状で、かつ、キンクしているため、基端部４４ａ（入光面）から入光した光源モジュール６０（テールランプ用の光源６２）からの光は、ランダムな反射を繰り返し、導光体４４の断面内を均一又は略均一な強度で導光される。
【００９０】
そして、導光体４４の基端部４４ａ（入光面）から入光して導光体４４（湾曲部４４ｃ）内を導光される光源モジュール６０（テールランプ用の光源６２）からの光の一部が拡散面４４ｅ（凹凸等の散乱素子）によって出光面４４ｄに向けて反射されることで、出光面４４ｄから出光する。その際、導光体４４が円弧状で、かつ、キンクしているため、さらに、導光体４４が先端部４４ｂに近いほど幅（導光体４４の外周面４４ｇと内周面４４ｈとの間隔）が狭く構成されているため、基端部４４ａ（入光面）から入光した光源モジュール６０（テールランプ用の光源６２）からの光は、円弧状の出光面４４ｄの全域又は略全域（すなわち、円弧状の出光面４４ｄの基端部４４ａ側と先端部４４ｂ側との間）から均一又は略均一に出光する。この出光面４４ｄから出光する光は、当該出光面４４ｄが対向するスリーブレンズ４２の背面側開口端面４２ｂから入光する。
【００９１】
上記構成の導光体４４は、例えば、金型を用いてアクリルやポリカーボネイト等の透明樹脂を射出成形することにより成形される。
【００９２】
サブブラケット４６は、基端部４６ａと、先端部４６ｂと、基端部４６ａと先端部４６ｂとの間に設けられた湾曲部４６ｃと、光源モジュール保持部４６ｄと、を含む円弧状の部材である。
【００９３】
サブブラケット４６（湾曲部４６ｃ）は、導光体４４と同様、基端部４６ａと先端部４６ｂとが筒状ブラケット２０の軸線ＡＸ方向に関し異なる位置に配置されるようにキンクしている。具体的には、基端部４６ａは背面側に配置され、先端部４６ｂは正面側に配置される。
【００９４】
サブブラケット４６の湾曲部４６ｃの正面側には、導光体４４の拡散面４４ｅが対向（又は密着）する面４６ｇ（図３参照）が設けられる。この導光体４４の拡散面４４ｅが対向（又は密着）する面４６ｇには、導光体４４の拡散面４４ｅからの漏れ光を反射して再度導光体４４に入光させるために、アルミ蒸着が施される。
【００９５】
サブブラケット４６の基端部４６ａは光源モジュール保持部４６ｄの背面側に連結され、先端部４６ｂは光源モジュール保持部４６ｄの正面側に連結される。
【００９６】
光源モジュール保持部４６ｄは、光源モジュール取付面４６ｄ１を含む。光源モジュール取付面４６ｄ１は、筒状ブラケット２０の軸線ＡＸを含む平面に対して略平行の平面である。
【００９７】
サブブラケット４６には、湾曲部４６ｃの基端部４６ａ側と湾曲部４６ｃの略中央とを連結する壁部４６ｅが設けられる。
【００９８】
壁部４６ｅには、ハウジング固定用貫通穴４６ｅ１、仮組み用貫通穴４６ｅ２が形成される。ハウジング固定用貫通穴４６ｅ１には、第１ランプユニット３０（ターンリフレクタ３２）の一部であるハウジング固定用ネジ受部３２ｄが挿入（例えば、嵌合）される。ハウジング固定用貫通穴４６ｅ１が本発明の第２貫通穴に相当する。
【００９９】
光源モジュール６０は、導光体４４の基端部４４ａから入光し、湾曲部４４ｃ内を導光される光を発光する。図７に示すように、光源モジュール６０は、テールランプ用の光源６２と、テールランプ用の光源６２が実装された基板６４と、を含む。テールランプ用の光源６２は、例えば、赤色光を発光するＬＥＤ等の半導体発光素子である。テールランプ用の光源６２が本発明の第２光源に相当する。基板６４には、光源モジュール保持部４６ｄ（光源モジュール取付面４６ｄ１）に設けられたピン４６ｄ２が挿入（例えば、嵌合）される貫通穴６４ａが形成される。
【０１００】
基板６４は、光源６２が実装される側の面に絶縁性フィルム（樹脂フィルム）が貼り付けられた金属製の基板である。そのため、光源６２や基板６４に実装された他の電子部品（図示せず）から生じた熱の放熱が可能である。また、光源モジュール保持部４６ｄを金属製とすることで、放熱性をさらに向上させることが可能である。
【０１０１】
図６に示すように、光源モジュール６０は、光源モジュール保持部４６ｄ（光源モジュール取付面４６ｄ１）に設けられたピン４６ｄ２が基板６４に形成された貫通穴６４ａに挿入（例えば、嵌合）された状態で、光源モジュール保持部４６ｄ（光源モジュール取付面４６ｄ１）に固定される。これにより、光源モジュール６０は、筒状ブラケット２０（スリーブレンズ４２）の軸線ＡＸ方向に関し導光体４４の基端部４４ａと先端部４４ｂとの間に配置される。
【０１０２】
上記構成のサブブラケット４６は、当該サブブラケット４６に形成された貫通穴４６ｈにスリーブレンズ４２の位置決めピン４２ｅが挿入され、ターンリフレクタ３２のハウジング固定用ネジ受部３２ｄが、当該サブブラケット４６のハウジング固定用貫通穴４６ｅ１に挿入（例えば、嵌合）され（図４参照）、さらに、図６に示すように、光源モジュール６０（及び光源モジュール保持部４６ｄ）が、筒状ブラケット２０の切欠部Ｓ１、スリーブレンズ４２の切欠部Ｓ２、及び、導光体４４の切欠部Ｓ３が重なったスペースに配置され、かつ、テールランプ用の光源６２と導光体４４の基端部４４ａとが対向した状態で配置される。
【０１０３】
そして、サブブラケット４６の仮組み用貫通穴４６ｅ２に挿入された固定ネジ（図示せず）を、筒状ブラケット２０の仮組み用貫通穴２２ｂ及びスリーブレンズ４２の仮組み用貫通穴４２ｃ２に挿入された第１ランプユニット３０（ターンリフレクタ３２）の一部である仮組み用ネジ受部３２ｅに螺合させる。
【０１０４】
これにより、サブブラケット４６は、当該サブブラケット４６とターンリフレクタ３２との間に、第１ランプユニット３０及び第２ランプユニット４０（正確には、筒状ブラケット２０、スリーブレンズ４２及び導光体４４）を挟持する（図３参照）。これにより、第１ランプユニット３０が、筒状ブラケット２０の内周面で取り囲まれた空間に配置された状態で筒状ブラケット２０に支持（固定）される。また、第２ランプユニット４０が、筒状ブラケット２０の外周面に沿って配置された状態で筒状ブラケット２０に支持（固定）される。なお、ターンリフレクタ３２は、その外周面の少なくとも一部が筒状ブラケット２０の内周面に当接（例えば、面接触）した状態で筒状ブラケット２０に支持（固定）される。また、スリーブレンズ４２は、その内周面の少なくとも一部が筒状ブラケット２０の外周面に当接（例えば、面接触）した状態で筒状ブラケット２０に支持（固定）される。
【０１０５】
その際、サブブラケット４６に設けられたリブ４６ｆがスリーブレンズ４２に当接する（図３（ａ）参照）ため、サブブラケット４６とスリーブレンズ４２との間の隙間がより少なくなる。
【０１０６】
上記構成のサブブラケット４６は、例えば、金型を用いてアクリルやポリカーボネイト等の合成樹脂を射出成形することにより成形される。
【０１０７】
上記構成の第２ランプユニット４０においては、光源モジュール６０（テールランプ用の光源６２）からの光は、導光体４４の基端部４４ａから入光し、導光体４４の湾曲部４４ｃ内を導光され、導光体４４の拡散面４４ｅで反射されることで、導光体４４の出光面４４ｄの全域（又は略全域）から均一（又は略均一）に出光し、導光体４４の出光面４４ｄが対向するスリーブレンズ４２の背面側開口端面４２ｂから入光し、スリーブレンズ４２の正面側開口端面４２ａの全域（又は略全域）から均一（又は略均一）に出光して正面側に照射される。
【０１０８】
上記構成の車両用灯具１０は、図４、図８に示すように、ハウジング５２に形成された貫通穴５２ａに挿入された固定ネジＮを、筒状ブラケット２０のハウジング固定用貫通穴２２ａ、スリーブレンズ４２のハウジング固定用貫通穴４２ｃ１及びサブブラケット４６のハウジング固定用貫通穴４６ｅ１に挿入された第１ランプユニット３０（ターンリフレクタ３２）の一部であるハウジング固定用ネジ受部３２ｄに螺合させることで、ハウジング５２に固定される。ハウジング５２に形成された貫通穴５２ａが本発明の第３貫通穴に相当する。
【０１０９】
その際、ハウジング５２に設けられたリブ５２ｃ（２個所。図３（ａ）参照）がサブブラケット４６に当接することで、車両用灯具１０は、より安定した姿勢でハウジング５２に固定される。
【０１１０】
以上説明したように、本実施形態によれば、スリーブレンズ４２を用いた車両用灯具１０において、当該スリーブレンズ４２の正面側開口端面４２ａ（出光面）を均一（又は略均一）に発光させることができる車両用灯具を提供することができる。
【０１１１】
これは、光源モジュール６０からの光が導光体４４によって導光されて導光体４４（湾曲部４４ｃ）の円弧状の出光面４４ｄから均一又は略均一に出光し、当該出光面４４ｄから出光した光がスリーブレンズ４２の背面側開口端面４２ｂから当該スリーブレンズに入光し、正面側開口端面４２ａから出光することによるものである。
【０１１２】
また、本実施形態によれば、スリーブレンズ４２を用いた車両用灯具１０において、当該スリーブレンズ４２の軸線ＡＸ方向の寸法を短くすることができる。
【０１１３】
これは、導光体４４が、基端部４４ａと先端部４４ｂとがスリーブレンズ４２の軸線ＡＸ方向に関し異なる位置に配置されるようにキンクしていること（図６参照）、及び光源モジュール６０が、スリーブレンズの軸線ＡＸ方向に関し導光体４４の基端部４４ａと先端部４４ｂとの間に配置されること（図６参照）、によるものである。
【０１１４】
また、本実施形態によれば、導光体４４が、先端部４４ｂに近いほど幅が狭く構成されるため、導光体４４によって導光されて円弧状の出光面４４ｄから出光する光源モジュール６０からの光をより均一にすることができる。
【０１１５】
また、本実施形態によれば、切欠部Ｓ２を含む正面側開口端面４２ａによって構成される円弧状の発光領域Ａ２を含む車両用灯具１０（図２（ａ）参照）を構成することができる。
【０１１６】
また、本実施形態によれば、出光面４４ｄが、導光体４４の基端部４４ａと先端部４４ｂとの間で円弧状に延びるシリンドリカルレンズ面として構成されるため、導光体４４の出光面４４ｄから出光する光がスリーブレンズ４２の背面側開口端面４２ｂへロス無く入射するように当該出光面４４ｄから出光する光を集光させることができる。
【０１１７】
また、本実施形態によれば、スリーブレンズ４２の背面側開口端面４２ｂには、当該背面側開口端面４２ｂからスリーブレンズ４２に入光する導光体４４の出光面４４ｄからの光をその周方向（円弧方向）に均一化するように配光制御パターンが設けられるため、スリーブレンズ４２の正面側開口端面４２ａ（出光面）をより均一に発光させることができる。
【０１１８】
次に、変形例について説明する。
【０１１９】
上記実施形態では、スリーブレンズ４２の正面側開口端面４２ａが切欠部Ｓ２を含む円弧状の面であり、当該スリーブレンズ４２の正面側開口端面４２ａが、図２（ａ）に示すように、正面視で円弧状の発光領域Ａ２を構成するように説明したが、これに限らない。例えば、スリーブレンズ４２の正面側開口端面４２ａが切欠部を含まない環状面であり、当該スリーブレンズ４２の正面側開口端面４２ａが、図１０（ａ）に示すように、正面視で環状の発光領域Ａ３を構成するようにしてもよい。
【０１２０】
この場合、スリーブレンズ４２の背面側開口端面４２ｂとして、図１０（ｂ）に示すように、円弧状（中心角約３６０度）の面を用い、かつ、導光体４４の出光面４４ｄとして、円弧状（中心角約３６０度）に延びるシリンドリカル面を用いることで、正面視で環状の発光領域Ａ３を実現することができる。
【０１２１】
本変形例によれば、切欠部を含まない正面側開口端面４２ａによって構成される環状の発光領域Ａ３を含む車両用灯具１０（図１０（ａ）参照）を構成することができる。
【０１２２】
また、上記実施形態では、基端部４４ａと先端部４４ｂとが筒状ブラケット２０（スリーブレンズ４２）の軸線ＡＸ方向に関し異なる位置に配置されるようにキンクした導光体４４（湾曲部４４ｃ）を用いた例について説明したが、これに限らない。例えば、図１１に示すように、キンクしていない導光体４４（湾曲部４４ｃ）を用いてもよい。
【０１２３】
また、上記実施形態では、筒状ブラケット２０として、円筒状ブラケットを用いた例について説明したが、これに限らない。例えば、筒状ブラケット２０として、楕円筒状ブラケットを用いてもよいし、多角形筒状ブラケットを用いてもよいし、その他筒状ブラケットを用いてもよい。
【０１２４】
また、上記実施形態では、スリーブレンズ４２として、円筒状レンズ体を用いた例について説明したが、これに限らない。例えば、スリーブレンズ４２として、楕円筒状レンズ体を用いてもよいし、多角形筒状レンズ体を用いてもよいし、その他筒状レンズ体を用いてもよい。
【０１２５】
また、上記実施形態では、第１ランプユニット３０がターンランプユニットで、第２ランプユニット４０がテールランプユニットである例について説明したが、これに限らない。例えば、第１ランプユニット３０がテールランプユニットで、第２ランプユニット４０がターンランプユニットであってもよい。また、第１ランプユニット３０がターンランプユニットで、第２ランプユニット４０がテールランプユニット以外のランプユニット（例えば、ストップランプユニット）であってもよい。また、第２ランプユニット４０がテールランプユニットで、第１ランプユニット３０がターンランプユニット以外のランプユニット（例えば、テールランプユニット）であってもよい。また、第１ランプユニット３０がヘッドランプユニットで、第２ランプユニット４０がＤＲＬランプユニットであってもよい。
【０１２６】
また、上記実施形態では、第１ランプユニット３０として、ターンリフレクタ３２を備えたリフレクタ型のランプユニットを用いた例について説明したが、これに限らない。例えば、第１ランプユニット３０として、プロジェクタ型のランプユニットを用いてもよいし、ダイレクトプロジェクション型（直射型ともいう）のランプユニットを用いてもよいし、その他のランプユニットを用いてもよい。
【０１２７】
また、上記実施形態では、第２ランプユニット４０として、スリーブレンズ４２及び導光体４４を備えたランプユニットを用いた例について説明したが、これに限らない。例えば、第２ランプユニット４０として、発光領域Ａ２と同様の発光領域を備える他のランプユニットを用いてもよい。
【０１２８】
また、上記実施形態では、ターンランプ用の光源として、バルブ光源を用いた例について説明したが、これに限らず、ＬＥＤ等の半導体発光素子を用いてもよい。
【０１２９】
また、上記実施形態では、テールランプ用の光源６２として、ＬＥＤ等の半導体発光素子を用いた例について説明したが、これに限らず、半導体発光素子以外の例えばバルブ光源を用いてもよい。
【０１３０】
また、上記実施形態では、ターンランプ用の光源をハウジング５２に形成された光源装着穴５２ｂに装着する例について説明したが、これに限らない。例えば、ターンランプ用の光源として、ＬＥＤ等の半導体発光素子を用いる場合、当該ターンランプ用の光源をサブブラケット４６等に装着してもよいし、ターンリフレクタ３２に直接装着してもよい。
【０１３１】
また、上記実施形態では、遮光性を有する合成樹脂を射出成形することで、筒状ブラケット２０に遮光性を持たせた例について説明したが、これに限らない。例えば、遮光性を有しない合成樹脂を射出成形することで筒状ブラケット２０を成形し、当該成形した筒状ブラケット２０に遮光性を有する塗料を塗布したり、遮光性を有するフィルムを張り付けることで、筒状ブラケット２０に遮光性を持たせてもよい。また、筒状ブラケット２０を金属製とすることで、当該筒状ブラケット２０に遮光性を持たせてもよい。
【０１３２】
上記各実施形態で示した各数値は全て例示であり、これと異なる適宜の数値を用いることができるのは無論である。
【０１３３】
上記各実施形態はあらゆる点で単なる例示にすぎない。上記各実施形態の記載によって本発明は限定的に解釈されるものではない。本発明はその精神または主要な特徴から逸脱することなく他の様々な形で実施することができる。
【符号の説明】
【０１３４】
１０…車両用灯具、２０…筒状ブラケット、２０ａ…正面側開口、２０ｂ…背面側開口、２０ｃ…係合部、２２…壁部、２２ａ…ハウジング固定用貫通穴、２２ｂ…仮組み用貫通穴、２４ａ、２４ｂ…リブ、３０…第１ランプユニット、３２…ターンリフレクタ、３２ａ…正面側開口、３２ｂ…背面側、３２ｃ…反射面、３２ｄ…ハウジング固定用ネジ受部、３２ｅ…仮組み用ネジ受部、３２ｆ…貫通穴、３２ｇ…リブ、３４…ターンランプレンズ、３４ａ…レンズ部、３４ｂ…レンズ枠部、３４ｃ…係合部、３６…エクステンション、３６ａ…正面側開口、３６ｂ…背面側開口、３６ｃ…爪部、３６ｄ…爪部、４０…第２ランプユニット、４２…スリーブレンズ、４２ａ…正面側開口端面、４２ｂ…背面側開口端面、４２ｂ１…一端部、４２ｂ２…他端部、４２ｃ…壁部、４２ｃ１…ハウジング固定用貫通穴、４２ｃ２…仮組み用貫通穴、４２ｅ…位置決めピン、４２ｆ…リブ、４４…導光体、４４ａ…基端部、４４ｂ…先端部、４４ｃ…湾曲部、４４ｄ…出光面、４４ｅ…拡散面、４４ｆ…貫通穴、４６…サブブラケット、４６ａ…基端部、４６ｂ…先端部、４６ｃ…湾曲部、４６ｄ…光源モジュール保持部、４６ｄ１…光源モジュール取付面、４６ｄ２…ピン、４６ｅ…壁部、４６ｅ１…ハウジング固定用貫通穴、４６ｅ２…仮組み用貫通穴、４６ｆ…リブ、５０…アウターレンズ、５２…ハウジング、５２ａ…貫通穴、５２ｂ…光源装着穴、５２ｃ…リブ、５４…灯室、６０…光源モジュール、６２…光源、６４…基板、６４ａ…貫通穴、Ａ１、Ａ２…発光領域、ＡＸ…軸線、Ｎ…固定ネジ、Ｓ１〜Ｓ３…切欠部
【図１】
2018073582.tif 000003
【図２】
2018073582.tif 000004
【図３】
2018073582.tif 000005
【図４】
2018073582.tif 000006
【図５】
2018073582.tif 000007
【図６】
2018073582.tif 000008
【図７】
2018073582.tif 000009
【図８】
2018073582.tif 000010
【図９】
2018073582.tif 000011
【図１０】
2018073582.tif 000012
【図１１】
2018073582.tif 000013